(57)【要約】【課題】    片手が不自由な人でも、簡単なワンタッチ操作でタオルに含まれた水分を充分に絞り出すことができるタオル絞り具を提供する。【解決手段】  本発明は、螺旋バー１０１と螺旋バー１０１が貫通するハンドル１０２からなり、螺旋バー１０１の一端にはフック１０３及び緩衝体１０４、他端にストッパー１０５を有し、ハンドル１０２には保持リング２０１でハンドル１０２に保持され螺旋条１１１沿って回転する誘導板２００を有するタオル絞り具１００において、ハンドル１０２がフック１０３側に位置する状態で、タオルの長手方向、中央部でＵ字状に二つ折りにし一端をフック１０３に掛け、他端を不回転保持し、フック１０３側に位置するハンドル１０２をフック１０３側からストッパー１０５側に向けて引っ張ることにより螺旋バー１０１が回転し、従ってフック１０３が回転することによる捻り力でタオルを絞ることを特徴とする。【選択図】図１
2009047399.tif 000002
【特許請求の範囲】
【請求項１】
螺旋バー１０１と螺旋バー１０１が貫通するハンドル１０２からなり、螺旋バー１０１の一端にはフック１０３及び緩衝体１０４、他端にストッパー１０５を有し、ハンドル１０２には保持リング２０１でハンドル１０２に保持され螺旋条１１１沿って回転する誘導板２００を有するタオル絞り具１００において、ハンドル１０２がフック１０３側に位置する状態で、タオルの長手方向、中央部でＵ字状に二つ折りにした一端をフック１０３に掛け、他端を不回転保持し、ハンドル１０２をフック１０３側からストッパー１０５側に向けて引っ張ることにより螺旋バー１０１が回転し、従ってフック１０３が回転することによる捻り力でタオルを絞ることを特徴とするタオル絞り具。
【請求項２】
請求項１のタオル絞り具１００において、ハンドル１０２に設けた吊り手挿入孔２０３に吊り手１０６を上下回動可能に装着し、回動可能な吸盤１０７を設けたことを特徴とするタオル絞り具。
【請求項３】
請求項１のタオル絞り具１００において、フック１０３に替えてクランプ５００を設けたことを特徴とするタオル絞り具。
【請求項４】
請求項１のタオル絞り具１００において、螺旋バー１０１の螺旋のピッチがフック１０３側で小さく、ストッパー１０５側で大きくなるように螺旋のピッチが徐々に変化することを特徴とするタオル絞り具。
【請求項５】
請求項１のタオル絞り具１００において、ハンドル１０２とハンドル１０２に保持された誘導板２００との関係で、誘導板２００が一方向回転の場合はハンドル１０２と共に回転し、その逆方向回転の場合は、ハンドル１０２と解離して誘導板２００のみが回転するラチェット機構を有し、ハンドル１０２がフック１０３側からストッパー１０５側に向けて移動するとき誘導板２００がハンドル１０２に固定され、ハンドル１０２がストッパー１０５側からフック１０３側に向けて移動するとき誘導板２００がハンドル１０２に対して回転することを特徴とするタオル絞り具。
【発明の詳細な説明】
【技術分野】
【０００１】  本発明はタオル絞り具に関し、より詳しくは片手で操作することができ、タオルに含まれた水分を充分に絞り出すことが出来るように成したタオル絞り具に関する。
【背景技術】
【０００２】  一般に、タオルに含まれた水分を絞り出すには、これを長手ほぼ中央部で、二つまたは四つ折りにしたタオルの両端部を両手で握り、タオルを長手方向に捻るようにして絞る。この方法は、両手を使うため、片手を怪我している人や片手に障害のある人はタオルを絞ることが出来ないという問題がある。【０００３】  なお、一端が回動可能に連結された二枚の板の間にタオルを挟み、二枚の板を、押し合わせる方向の圧力を加える方法（例えば、特許文献１参照）や、レバーを片手で操作することにより、板に挟まれたタオルの水分を絞り出す方法（例えば、特許文献２参照）のタオル絞り器が提案されている。【０００４】  また、長手方向Ｕ字状に折ったタオルを、保持されたＬ字状かぎに引っ掛け、これに回転ハンドルを設け、タオル他端を固定し、ハンドルを回してタオルの水分を絞り出すタオル絞り装置が提案されている（例えば、特許文献３参照）。
【特許文献１】  実用新案第３０６２７７５号
【特許文献２】  実用新案第３１２９７７３号
【特許文献３】  特許公開２０００−２８３６４８
【発明の開示】
【発明が解決しようとする課題】
【０００５】  これらには次のような欠点があった。
例えば、特許文献１及び特許文献２の例では、タオルの折り重なりにむらがあると、水分を充分に出しにくい問題点がある。
また、特許文献３の例による装置では、タオルの一端を保持固定するための装着操作及び解除操作が片手では煩わしく、また複数の操作で時間を要するなど問題点がある。
本発明はこれらの欠点を解決するためになされたものである。
【課題を解決するための手段】
【０００６】  本発明は、螺旋バー１０１と螺旋バー１０１が貫通するハンドル１０２からなり、螺旋バー１０１の一端にはフック１０３及び緩衝体１０４、他端にストッパー１０５を有し、ハンドル１０２には保持リング２０１でハンドル１０２に保持され螺旋条１１１沿って回転する誘導板２００を有するタオル絞り具１００において、ハンドル１０２がフック１０３側に位置する状態で、タオルの長手方向、中央部でＵ字状に二つ折りにした一端をフック１０３に掛け、他端を不回転保持し、ハンドル１０２をフック１０３側からストッパー１０５側に向けて引っ張ることにより螺旋バー１０１が回転し、従ってフック１０３が回転することによる捻り力でタオル４００を絞ることを特徴とするタオル絞り具である。
【発明の効果】
【０００７】  本発明のタオル絞り具によれば、片手が不自由な人でも、簡単なワンタッチ操作でタオルを捻ることができ、タオルに含まれた水分を絞り出す事が可能になった。
【発明を実施するための最良の形態】
【０００８】  以下本発明の最良の実施形態を図面に基づき説明する。
図１は本発明のタオル絞り具の一実施例を示す正面図、図２は図１の一部断面図、図３は誘導板、図４は吸盤でハンドルを固定する一実施例、図５は螺旋バー先端にフックの代わりにクランプを装着した例、図６は螺旋バーの各種形態の例である。
【実施例１】
【０００９】  図１にタオル絞り器全体の外形を示す。タオル絞り具は図１に於いて、螺旋バー１０１、螺旋バー１０１が貫通するハンドル１０２、螺旋バー１０１の一方の端部に設けたフック１０３、その基部に設けた緩衝体１０４、螺旋バー１０１の他端部にストッパー１０５からなる。
図１には、さらにハンドル１０２の適当な位置に回動可能に設けた吊り手１０６、吊り手１０６に連接して設けた吸盤１０７をも併せて示し、吸盤１０７により壁面に保持して吊り下げた状態を示した。【００１０】  図２には図１の上面図及び一部断面図を示す。図２（ａ）は図１における吊り手１０６と吸盤１０７を省略して上面図を示す。図２（ｂ）は図２（ａ）の断面ＡＡを示す。図２（ｂ）では軸１１０及び螺旋条１１１については、図を解り易くするため断面図でなく実体図で示した。
なお、図から理解できるようにハンドル１０２をフック１０３側最端部まで下げると、緩衝体１０４テーパ面２０２のブレーキ作用により、ハンドル１０２とフック１０３の相対回転が固定されるため安定し片手での操作が容易になる。【００１１】  図３に誘導板２００の詳細を示す。図３（ａ）には上面図を、図３（ｂ）に断面ＢＢを、図３（ｃ）に断面ＣＣを示した。この誘導板２００を保持リング２０１によりハンドル１０２に保持し、貫通部３００に螺旋バー１０１を貫通させる。ハンドル１０２を螺旋バー１０１の軸方向に沿って移動すると誘導板２００は螺旋条１１１に沿って相対的に回転する。この場合ハンドル１０２の回転を固定すれば螺旋バー１０１が回転する。本発明のタオル絞り具はこの回転作用を応用したものである。【００１２】  次に請求項１のタオル絞り具の使用態様について説明する。本発明のタオル絞り具１００において、ハンドル１０２がフック１０３側に位置する状態で、タオルの長手方向、中央部でＵ字状に二つ折りにし一端をフック１０３に掛け、他端を不回転保持し、フック１０３側に位置するハンドル１０２をストッパー１０５側に向けて軸方向に引っ張ることにより螺旋バー１０１が回転し、従ってフック１０３が回転することによる捻り力でタオルを絞ることができる。
【実施例２】
【００１３】  図４に請求項２のタオル絞り具の使用態様を示す。一例として、浴槽壁４０１の上部４０２にハンドル１０２を乗せ、吊り手１０６を介し吸盤１０７で浴槽壁内面４０３に固定する。本タオル絞り具において、ハンドル１０２がフック１０３側に位置する状態で、タオル４００の長手方向、中央部でＵ字状に二つ折りにした一端をフック１０３に掛け、他端を片手で持ち不回転保持し引っ張ることによりハンドル１０２は相対的にフック１０３側からストッパー１０５側に向けて移動し、螺旋バー１０１が回転し、従ってフック１０３が回転することによる捻り力でタオルを絞ることができる。
【実施例３】
【００１４】  図５は螺旋バー１０１の一端にフック１０３に替えてクランプ５００を装着した請求項３の例を示す。タオル４００の長手方向中央部を手摺５０１などに掛け二つ折りにし不回転保持し、ハンドル１０２がクランプ５００側に位置する状態で、タオル４００の他端をこのクランプ５００で掴み、クランプ５００側に位置するハンドル１０２をストッパー１０５側に向けて軸方向に引っ張ることにより螺旋バー１０１が回転し、従ってクランプ５００が回転することによる捻り力でタオルを絞ることができる。
【実施例４】
【００１５】  図６に螺旋バー１０１の各種形状を示す。図１及び図２においては軸１１０に線材を巻きつけ固定した螺旋条１１１からなる螺旋バー１０１の例を示した。
図６（ａ）は断面が矩形の二条凸形螺旋、図６（ｂ）は断面が十字形の四条凸形螺旋、図６（ｃ）は螺旋形状が凹形螺旋の実施例を示す。図６（ｄ）は螺旋形状が二条凸形螺旋で螺旋ピッチがフック１０３側で小さくストッパー１０５側で大きくなるように徐々に変化する請求項４の実施例を示す。
なお、図は省略するが螺旋形状が三条凸形螺旋の実施例もある。【００１６】  本実施例によって、ハンドル１０２がフック１０３側に近い絞り始めには軽負荷であるため螺旋ピッチを小さくしてフックの回転数を増し、従ってタオル４００の捻りを大きくし、ハンドル１０２がストッパー１０５側に近い絞り終わりには高負荷であるため、螺旋ピッチを大きくしてフックの回転数を減少し、捻り力を増大させ、タオル４００の水分を十分に絞り出すことができ、性能向上が図れる。
【実施例５】
【００１７】  請求項５におけるハンドル１０２と誘導板２００との間にラチェット機構を有するタオル絞り具の使用態様を説明する。該ラチェット機構により、ハンドル１０２がフック１０３側からストッパー１０５側に向けて移動するときは螺旋バー１０１が回転し、逆にハンドル１０２がストッパー１０５側からフック１０３側に向けて移動するときは、螺旋バー１０１は回転しない。【００１８】  従って、実施例２において、浴槽壁内面４０３に固定した本タオル絞り具においてタオルを絞る場合、タオル４００の長手方向、中央部でＵ字状に二つ折りにした一端をフック１０３に掛け、他端を手で引っ張ると螺旋バー１０１が回転しその捻り力でタオル４００を絞ることができるが、さらに絞りたい場合、螺旋バー１０１を押し戻すと螺旋バー１０１は回転することなくハンドル１０２はフック１０３側に移動し、再度他端を手で引っ張ることにより絞りを繰り返すことができるようになった。
【図面の簡単な説明】
【００１９】
【図１】  タオル絞り器正面図
【図２】  （ａ）  タオル絞り器上面図  （ｂ）  図２（ａ）のＡＡ断面図（螺旋体を除く）
【図３】  （ａ）  誘導板上面図  （ｂ）  図３（ａ）のＢＢ断面図  （ｃ）  図３（ａ）のＣＣ断面図
【図４】  浴槽壁に吸盤で固定した実施例
【図５】  クランプの実施例
【図６】  （ａ）  二条凸状螺旋の例  （ｂ）  四条凸状螺旋の例  （ｃ）  凹螺旋の例  （ｄ）  螺旋ピッチ変化の例
【符号の説明】
【００２０】１００    タオル絞り具
１０１    螺旋バー
１０２    ハンドル
１０３    フック
１０４    緩衝体
１０５    ストッパー
１０６    吊り手
１０７    吸盤
１１０    軸
１１１    螺旋条
２００    誘導板
２０１    保持リング
２０２    テーパ面
２０３    吊り手挿入孔
３００    貫通部
４００    タオル
４０１    浴槽壁
４０２    浴槽壁上部
４０３    浴槽壁内面
５００    クランプ
５０１    手摺
【図１】
2009047399.tif 000003
【図２】
2009047399.tif 000004
【図３】
2009047399.tif 000005
【図４】
2009047399.tif 000006
【図５】
2009047399.tif 000007
【図６】
2009047399.tif 000008